(57)【要約】【課題】受信装置による再生信号の品質を向上する。【解決手段】復調信号が入力される第１のローパスフィルタ２０１１と、第１のローパスフィルタ２０１１を通過した後の復調信号、及びパルスノイズ検出信号が入力され、入力される復調信号のうち、パルスノイズ検出信号によって定まる期間について当該復調信号に基づく補間処理を行う補間処理部２０１２と、第１のローパスフィルタ２０１１を通過する前の復調信号のうち上記期間における信号を、当該期間における補間処理部２０１２による補間処理後の信号で置換した信号を出力する置換処理部２０１３と、置換処理部２０１３から出力される信号が入力され、第１のローパスフィルタ２０１１のカットオフ周波数よりも高いカットオフ周波数を有する第２のローパスフィルタ２０２と、を含むノイズキャンセラを構成する。【選択図】図３
2008010949.tif 000002
【特許請求の範囲】
【請求項１】
復調信号が入力される第１のローパスフィルタと、
前記第１のローパスフィルタを通過した後の前記復調信号、及びパルスノイズの存在を示す信号であるパルスノイズ検出信号が入力され、入力される前記復調信号のうち、前記パルスノイズ検出信号によって定まる期間について当該復調信号に基づく補間処理を行う補間処理部と、
前記補間処理部による前記補間処理後の前記復調信号、前記パルスノイズ検出信号、及び前記第１のローパスフィルタを通過する前の前記復調信号が入力され、前記第１のローパスフィルタを通過する前の前記復調信号のうち前記期間における信号を、当該期間における前記補間処理部による前記補間処理後の信号で置換した信号を出力する置換処理部と、
前記置換処理部から出力される信号が入力され、前記第１のローパスフィルタのカットオフ周波数よりも高いカットオフ周波数を有する第２のローパスフィルタと、
を含むこと
を特徴とするノイズキャンセラ。
【請求項２】
請求項１に記載のノイズキャンセラであって、
前記第１のローパスフィルタのカットオフ周波数近傍における周波数−減衰量特性の傾きは、前記第２のローパスフィルタのカットオフ周波数近傍における周波数−減衰量特性の傾きよりも小さいこと
を特徴とするノイズキャンセラ。
【請求項３】
受信信号を中間周波信号に変換するフロントエンド回路と、
前記中間周波信号を復調した復調信号を生成する検波回路と、
前記受信信号に含まれているパルスノイズの存在を示す信号であるパルスノイズ検出信号を生成するパルスノイズ検出部と、
前記復調信号と前記パルスノイズ検出信号が入力され、前記復調信号に含まれているパルスノイズを除去するノイズキャンセラと、
を含み、
前記ノイズキャンセラは、
復調信号が入力される第１のローパスフィルタと、
前記第１のローパスフィルタを通過した後の前記復調信号、及びパルスノイズの存在を示す信号であるパルスノイズ検出信号が入力され、入力される前記復調信号のうち、前記パルスノイズ検出信号によって定まる期間について当該復調信号に基づく補間処理を行う補間処理部と、
前記補間処理部による前記補間処理後の前記復調信号、前記パルスノイズ検出信号、及び前記第１のローパスフィルタを通過前の前記復調信号が入力され、前記第１のローパスフィルタを通過する前の前記復調信号のうち前記期間における信号を、当該期間における前記補間処理部による前記補間処理後の信号で置換した信号を出力する置換処理部と、
前記置換処理部から出力される信号が入力され、前記第１のローパスフィルタのカットオフ周波数よりも高いカットオフ周波数を有する第２のローパスフィルタと、
を含むこと
を特徴とする受信装置。
【請求項４】
請求項３に記載の受信装置であって、
前記復調信号は主チャンネル信号（Ｌ＋Ｒ）及び副チャンネル信号（Ｌ−Ｒ）を含むＦＭ復調信号であること
を特徴とする受信装置。
【発明の詳細な説明】
【技術分野】
【０００１】
この発明は、ノイズキャンセラ及びこれを用いた受信装置に関し、受信装置による再生信号の品質を向上するための技術に関する。
【背景技術】
【０００２】
図７にＦＭ受信装置１の構成を示している。このＦＭ受信装置１は、アンテナ１０、同調及び受信信号の高周波増幅を行うとともに受信信号を中間周波信号に変換するフロントエンド回路１１（FE:Front End）、中間周波信号の電界強度に応じてフロントエンド回路１１における増幅利得を制御するＡＧＣ回路１２（AGC：Automatic Gain Control）、中間周波信号を増幅する増幅回路やリミッタ回路を含むＩＦ段信号処理回路１３、中間周波信号を復調するＦＭ検波回路１４、ＡＧＣ回路１２から出力される中間周波信号に基づいて中間周波信号の電界強度に対応する交流信号（Ｓ−ＡＣ）及び直流信号（Ｓ−ＤＣ）を出力するＳメータ１５、交流信号（Ｓ−ＡＣ）に基づいてマルチパスノイズの存在有無を示す信号であるマルチパスノイズ検出信号を出力するマルチパスノイズ検出部１６、復調信号、マルチパスノイズ検出信号、及び直流信号（Ｓ−ＤＣ）が入力され、復調信号のうちマルチパスノイズが含まれる期間における信号を減衰させるコンポジット段信号処理回路１７、コンポジット段信号処理回路１７から出力される信号についてマトリクス処理を行って、主チャンネル信号（Ｌ＋Ｒ）及び副チャンネル信号（Ｌ−Ｒ）を生成するステレオ復調回路１８、ＡＧＣ回路１２から出力される中間周波信号に含まれるイグニッションノイズやミラーノイズなどのパルスノイズの存在を示す信号であるパルスノイズ検出信号を出力するパルスノイズ検出部１９、パルスノイズ検出信号に基づいてステレオ復調回路１８から出力される主チャンネル信号（Ｌ＋Ｒ）及び副チャンネル信号（Ｌ−Ｒ）に含まれるパルスノイズを除去するノイズキャンセラ２０’、主チャンネル信号（Ｌ＋Ｒ）及び副チャンネル信号（Ｌ−Ｒ）に基づいてＬ信号及びＲ信号を生成するオーディオ段信号処理回路２１を含んで構成されている。
【０００３】
オーディオ段信号処理回路２１には、Ｓメータ１５から出力される直流信号（Ｓ−ＤＣ）及びマルチパスノイズ検出部１６から出力されるマルチパスノイズ検出信号が入力される。オーディオ段信号処理回路２１は、これらの信号に基づいて、主チャンネル信号と副チャンネル信号の分離度を変化させるセパレーション処理を行うＳＰ処理部２１１（SP: SeParation）や、高周波成分を除去することによりＳ／Ｎ比を改善するハイカット処理を行うＨＣ処理部２１２（HC:High Cut）を有している。
【０００４】
図８にノイズキャンセラ２０’及びオーディオ段信号処理回路２１の具体的な構成を示している。ノイズキャンセラ２０’は、主チャンネル信号（Ｌ＋Ｒ）及び副チャンネル信号（Ｌ−Ｒ）に含まれている高周波ノイズをカットする目的で設けられるカットオフ周波数１５ｋＨｚのローパスフィルタ２０２（LPF（Low Pass Filter））、デエンファシス処理部２０３、パルスノイズ検出信号に基づいて定まる期間（以下、補間期間という。）について、線形補間などの補間処理を行うことによりノイズを除去するノイズキャンセル処理部２０１’を含む。
【０００５】
またオーディオ段信号処理回路２１は、主チャンネル信号（Ｌ＋Ｒ）及び副チャンネル信号（Ｌ−Ｒ）に含まれる直流成分をカットするハイパスフィルタ２１３（HPF：High Pass Filter）、主チャンネル信号（Ｌ＋Ｒ）及び副チャンネル信号（Ｌ−Ｒ）によってＬ信号及びＲ信号を生成するマルチプレクサ２１４（MPX: Multiplexer）を含む。
【０００６】
ノイズキャンセル処理部２０１’が上記補間処理を行う際の上記補間期間の長さはノイズキャンセラ２０’に固定値として記憶されている。ノイズキャンセル処理部２０１’は、パルスノイズ検出信号によってパルスノイズの存在を検知すると、パルスノイズを検出してから上記固定値に対応する長さの期間を上記補間期間として設定し、設定した補間期間における信号について上記の補間処理を行う。
【特許文献１】特開平２−２８３１２９号公報
【特許文献２】特開２００１−３６４２２号公報
【特許文献３】特開２００５−２７７５６５号公報
【発明の開示】
【発明が解決しようとする課題】
【０００７】
ところで、ローパスフィルタ２０２は、主チャンネル信号（Ｌ＋Ｒ）及び副チャンネル信号（Ｌ−Ｒ）に混在するパルスノイズのパルス幅を拡げてしまうため、上記固定値は、拡がってしまったパルスノイズのパルス幅をカバーする長さに設定する必要がある。そしてこれにより上記補間期間が長くなって、ＦＭ受信装置の再生信号の品質が不必要に低下してしまうこととなる。
【０００８】
具体的に説明する。例えば、ステレオ復調回路１８から図９Ａに示す主チャンネル信号（Ｌ＋Ｒ）及び副チャンネル信号（Ｌ−Ｒ）が入力された場合、ローパスフィルタ２０２から出力される信号は図９Ｂに示す波形となる。またデエンファシス処理部２０３から出力される信号は図９Ｃに示す波形となり、ノイズキャンセル処理部２０１’から出力される信号は図９Ｄに示す波形となる。またハイパスフィルタ２１３から出力される信号は図９Ｅに示す波形となり、マルチプレクサ２１４から出力される信号は図９Ｆに示す波形となる。
【０００９】
ここで図９Ａに示すステレオ復調回路１８から入力される元の信号の波形と、図９Ｄに示すノイズキャンセル処理部２０１’からの出力される信号の波形とを比較すると、図９Ａではパルスノイズのパルス幅が０．０２×１０−３程度であるのに対し、図９Ｄでは補間期間が０．２×１０−３以上の幅になっており、元のパルスノイズのパルス幅に対して補間期間が１０倍程度も長くなっている。このため、図９Ｆに示すように、マルチプレクサ２１４から出力される信号の波形は元の信号の波形に比べてかなり歪んでしまうこととなる。
【００１０】
本発明はこのような問題に鑑みてなされたもので、受信装置による再生信号の品質を向上させることができるノイズキャンセラ及びこれを用いた受信装置を提供することを目的とする。
【課題を解決するための手段】
【００１１】
上記目的を達成するための本発明のうちの主たる発明は、ノイズキャンセラであって、復調信号が入力されるローパスフィルタ、前記ローパスフィルタを通過後の前記復調信号、パルスノイズの存在を示す信号であるパルスノイズ検出信号が入力され、入力される前記復調信号のうち、前記パルスノイズ検出信号によって定まる期間について当該復調信号に基づく補間処理を行う補間処理部、前記補間処理部による前記補間処理後の前記復調信号、前記パルスノイズ検出信号、及び前記ローパスフィルタを通過する前の前記復調信号とが入力され、前記ローパスフィルタを通過前の前記復調信号のうち前記期間における信号を、当該期間における前記補間処理部による前記補間処理後の信号で置換する置換処理部と、前記置換処理部から出力される信号が入力され、前記第１のローパスフィルタのカットオフ周波数よりも高いカットオフ周波数を有する第２のローパスフィルタと、を含むこととする。
【００１２】
本発明における第２のローパスフィルタは、例えば、前述した１５ｋＨｚのローパスフィルタである。本発明では、パルスノイズのパルス幅を拡大させてしまう第２のローパスフィルタを通過する前に補間処理を行うようにしている。ここで第１のローパスフィルタは、補間処理部による補間処理において、復調信号に含まれている高周波成分の補間処理に対する影響を減らす目的で設けられるが、この第１のローパスフィルタは、第２のローパスフィルタのカットオフ周波数よりも低いカットオフ周波数を有しており、第２のローパスフィルタに比べてパルスノイズのパルス幅の拡大が少なく、第２のローパスフィルタを通過した後に補間処理を行う場合に比べて補間期間を設定できる。置換処理部は、ローパスフィルタを通過する前の復調信号のうち上記補間期間における信号を、当該補間期間における補間処理部による補間処理後の信号によって置換する。このようにすることで、補間期間以外の期間の信号についてはローパスフィルタによってカットされてしまった高周波成分が復元され、これにより再生信号の品質低下を防ぐことができる。
【発明の効果】
【００１３】
本発明によれば、受信装置による再生信号の品質を向上することができる。
【発明を実施するための最良の形態】
【００１４】
以下、本発明の実施形態について詳細に説明する。図１に本発明の一実施形態として説明するＦＭ受信装置１の構成を示している。  
同図に示すＦＭ受信装置１は、アンテナ１０、同調及び受信信号の高周波増幅を行うとともに受信信号を中間周波数の信号（以下、中間周波信号という。）に変換するフロントエンド回路１１（FE（Front End）回路）、中間周波信号の電界強度に応じてフロントエンド回路１１における増幅利得を制御するＡＧＣ回路１２（AGC：Automatic Gain Control）、中間周波信号の増幅を行う増幅回路やリミッタ回路を含むＩＦ段信号処理回路１３、中間周波信号を復調するＦＭ検波回路１４、ＡＧＣ回路１２から出力される中間周波信号に基づいて中間周波信号の電界強度に対応する交流信号（Ｓ−ＡＣ）及び直流信号（Ｓ−ＤＣ）を出力するＳメータ１５、交流信号（Ｓ−ＡＣ）に基づいてマルチパスノイズの存在有無を示す信号であるマルチパスノイズ検出信号を出力するマルチパスノイズ検出部１６、復調信号、マルチパスノイズ検出信号、及び直流信号（Ｓ−ＤＣ）が入力され、復調信号のうちマルチパスノイズが含まれる期間における信号を減衰させるコンポジット段信号処理回路１７、コンポジット段信号処理回路１７から出力される信号についてマトリクス処理を行って、主チャンネル信号（Ｌ＋Ｒ）及び副チャンネル信号（Ｌ−Ｒ）を生成するステレオ復調回路１８、ＡＧＣ回路１２から出力される中間周波信号に含まれるイグニッションノイズやミラーノイズなどのパルスノイズの存在を示す信号であるパルスノイズ検出信号を出力するパルスノイズ検出部１９、パルスノイズ検出信号に基づいて定まる期間（以下、補間期間という。）について、線形補間などの補間処理等を行って、ステレオ復調回路１８から出力される主チャンネル信号（Ｌ＋Ｒ）及び副チャンネル信号（Ｌ−Ｒ）に含まれるパルスノイズを除去するノイズキャンセラ２０、主チャンネル信号（Ｌ＋Ｒ）及び副チャンネル信号（Ｌ−Ｒ）に基づいてＬ信号及びＲ信号を生成するオーディオ段信号処理回路２１を含んで構成されている。
【００１５】
ここでマルチパスノイズ検出部１６から出力されるマルチパスノイズ検出信号は、マルチパスノイズを検出した場合に所定期間一方の論理値をとり、上記所定期間以外の期間では他方の論理値をとる信号である。
【００１６】
パルスノイズ検出部１９から出力されるパルスノイズ検出信号は、パルスノイズを検出すると所定期間については一方の論理値をとり、上記所定期間以外の期間では他方の論理値をとる信号である。ノイズキャンセル処理部２０１は、補間を行う際の上記補間期間の長さを固定値として記憶しており、パルスノイズ検出信号によってパルスノイズが存在することを検知すると、パルスノイズを検出してから上記固定値に対応する長さの期間を上記補間期間として設定する。
【００１７】
オーディオ段信号処理回路２１には、Ｓメータ１５から出力される直流信号（Ｓ−ＤＣ）及びマルチパスノイズ検出部１６から出力されるマルチパスノイズ検出信号が入力される。オーディオ段信号処理回路２１は、これらの信号に基づいて主チャンネル信号と副チャンネル信号の分離度を変化させるセパレーション処理を行うＳＰ処理部２１１（SP: separation）や、高周波成分を除去することによりＳ／Ｎ比を改善するハイカット処理を行うＨＣ処理部２１２（High Cut）を有している。
【００１８】
図２にノイズキャンセラ２０及びオーディオ段信号処理回路２１の具体的な構成を示している。ノイズキャンセラ２０は、例えば、ＤＳＰ（Digital Signal Processor）を用いて実現される。ノイズキャンセラ２０は、パルスノイズ検出信号に基づき主チャンネル信号（Ｌ＋Ｒ）及び副チャンネル信号（Ｌ−Ｒ）に含まれるパルスノイズを除去するノイズキャンセル処理部２０１、主チャンネル信号（Ｌ＋Ｒ）及び副チャンネル信号（Ｌ−Ｒ）に含まれている高周波ノイズをカットする目的で設けられるカットオフ周波数１５ｋＨｚのローパスフィルタ２０２（第２のローパスフィルタ）、送信側のプリエンファシス処理によって強められた主チャンネル信号（Ｌ＋Ｒ）及び副チャンネル信号（Ｌ−Ｒ）の高域部を元に戻すデエンファシス処理部２０３を含んでいる。
【００１９】
オーディオ段信号処理回路２１は、主チャンネル信号（Ｌ＋Ｒ）及び副チャンネル信号（Ｌ−Ｒ）に含まれる直流成分をカットするハイパスフィルタ２１３、主チャンネル信号（Ｌ＋Ｒ）及び副チャンネル信号（Ｌ−Ｒ）によってＬ信号及びＲ信号を生成するマルチプレクサ２１４を含んでいる。
【００２０】
図３にノイズキャンセル処理部２０１の構成を示している。ノイズキャンセル処理部２０１は、ステレオ復調回路１８から出力される主チャンネル信号（Ｌ＋Ｒ）及び副チャンネル信号（Ｌ−Ｒ）が入力されるカットオフ周波数１０ｋＨｚのローパスフィルタ２０１１（第１のローパスフィルタ）、ローパスフィルタ２０１１を通過した後の主チャンネル信号（Ｌ＋Ｒ）及び副チャンネル信号（Ｌ−Ｒ）のうち補間期間における信号について、当該主チャンネル信号（Ｌ＋Ｒ）及び副チャンネル信号（Ｌ−Ｒ）の信号に基づいて補間処理を行う補間処理部２０１２、ローパスフィルタ２０１１を通過前の主チャンネル信号（Ｌ＋Ｒ）及び副チャンネル信号（Ｌ−Ｒ）のうち補間期間における信号を、その補間期間における補間処理部２０１２において補間した補間処理後の信号で置換する置換処理部２０１３を含んで構成されている。
【００２１】
ここでこのようにステレオ復調回路１８から入力される主チャンネル信号（Ｌ＋Ｒ）及び副チャンネル信号（Ｌ−Ｒ）に対して直接補間処理を行うのではなく、ローパスフィルタ２０１１（カットオフ周波数１０ｋＨｚ）を通過した後の信号に対して補間処理を行うようにしているのは、主チャンネル信号（Ｌ＋Ｒ）及び副チャンネル信号（Ｌ−Ｒ）に含まれている高周波成分の上記補間処理に対する影響を減らすためである。また、パルスノイズのパルス幅の拡大を減らすため、ローパスフィルタ２０１１（カットオフ周波数１０ｋＨｚ）としては、例えば、図４に示すように、カットオフ周波数近傍における周波数−減衰量特性の傾きが後段に設けられるローパスフィルタ２０２（カットオフ周波数１５ｋＨｚ）よりも小さい（緩やかな）特性のものを選択する。なお、このようなローパルフィルタ２０１１は、例えばＦＩＲシステム（FIR：Finite Impulse Response System）やＩＩＲシステム（IIR：Infinite Impulse Response System）によって実現される。
【００２２】
一方、補間処理部２０１２から出力される信号をそのままノイズキャンセル処理部２０１の出力とはせず、置換処理部２０１３において、ローパスフィルタ２０１１を通過していない主チャンネル信号（Ｌ＋Ｒ）及び副チャンネル信号（Ｌ−Ｒ）のうち上記補間期間における信号を補間処理部２０１２において補間した信号に置換し、補間期間以外の期間については元の主チャンネル信号（Ｌ＋Ｒ）及び副チャンネル信号（Ｌ−Ｒ）を出力するようにしているのは、補間期間以外の期間の信号についてはローパスフィルタ２０１１によってカットされてしまった高周波成分を復元するためであり、これによりローパスフィルタ２０１１を通過させることによる再生信号の品質低下を防ぐことができる。
【００２３】
＜処理説明＞
次に、図５Ａ乃至図５Ｃに示す波形図とともに、ノイズキャンセラ２０及びオーディオ段信号処理回路２１において行われる処理について説明する。
【００２４】
図５Ａは、図９Ａに示した主チャンネル信号（Ｌ＋Ｒ）及び副チャンネル信号（Ｌ−Ｒ）が、ノイズキャンセル処理部２０１に入力された場合に、ローパスフィルタ２０１１から出力される信号の波形である。図５Ａと図９Ｂとを比較すると、図５Ａの方がパルスノイズのパルス幅の拡がりが少ないことがわかる。
【００２５】
図５Ｂは、補間処理部２０１２から出力される主チャンネル信号（Ｌ＋Ｒ）及び副チャンネル信号（Ｌ−Ｒ）の波形である。同図に示すように、補間処理部２０１２の処理によって、パルスノイズが存在する補間期間について補間処理が行われている。
【００２６】
図５Ｃは、置換処理部２０１３から出力される信号の波形である。同図に示すように、図９Ａに示すローパスフィルタ２０１１を通過していない主チャンネル信号（Ｌ＋Ｒ）及び副チャンネル信号（Ｌ−Ｒ）のうちの補間期間における信号が、補間処理部２０１２において補間された信号で置換されている。
【００２７】
図６Ａは、ローパスフィルタ２０２から出力される信号の波形であり、図６Ｂは、デエンファシス処理部２０３から出力される信号の波形である。また図６Ｃは、ハイパスフィルタ２１３から出力される信号の波形であり、図６Ｄは、マルチプレクサ２１４から出力される信号の波形である。図６Ｄと図９Ｆとを比較すると、図６Ｄの方が図９Ｆに比べて補間期間が短くなっている。また図６Ｄに示す信号の波形は、図９Ｆに示す信号の波形に比べて歪みが少なくなっていることがわかる。
【００２８】
以上、本発明の一実施形態につき詳細に説明したが、上述した実施形態の説明は本発明の理解を容易にするためのものであり、本発明を限定するものではない。本発明はその趣旨を逸脱することなく、変更、改良され得ると共に本発明にはその等価物が含まれることは勿論である。例えば、以上に説明したノイズキャンセル処理部２０１はＡＭ受信装置にも適用することができる。
【図面の簡単な説明】
【００２９】
【図１】本発明の一実施形態によるＦＭ受信装置１の構成を示す図である。
【図２】本発明の一実施形態によるノイズキャンセラ２０及びオーディオ段信号処理回路２１の具体的な構成を示す図である。
【図３】本発明の一実施形態によるノイズキャンセル処理部２０１の構成を示す図である。
【図４】本発明の一実施形態によるローパスフィルタ２０１１の周波数−減衰量特性を示す図である。
【図５Ａ】本発明の一実施形態にかかる主チャンネル信号（Ｌ＋Ｒ）及び副チャンネル信号（Ｌ−Ｒ）が、ノイズキャンセル処理部２０１に入力された場合に、ローパスフィルタ２０１１から出力される信号の波形を示す図である。
【図５Ｂ】本発明の一実施形態にかかる補間処理部２０１２から出力される主チャンネル信号（Ｌ＋Ｒ）及び副チャンネル信号（Ｌ−Ｒ）の波形を示す図である。
【図５Ｃ】本発明の一実施形態に置換処理部２０１３から出力される信号の波形を示す図である。
【図６Ａ】本発明の一実施形態にかかるローパスフィルタ２０２から出力される信号の波形を示す図である。
【図６Ｂ】本発明の一実施形態にかかるデエンファシス処理部２０３から出力される信号の波形を示す図である。
【図６Ｃ】本発明の一実施形態にハイパスフィルタ２１３から出力される信号の波形を示す図である。
【図６Ｄ】本発明の一実施形態にマルチプレクサ２１４から出力される信号の波形を示す図である。
【図７】ＦＭ受信装置１の一例を示す図である。
【図８】図７のノイズキャンセラ２０及びオーディオ段信号処理回路２１の具体的な構成を示す図である。
【図９Ａ】ステレオ復調回路１８からノイズキャンセラ２０に入力される波形の一例である。
【図９Ｂ】図９Ａに示す主チャンネル信号（Ｌ＋Ｒ）及び副チャンネル信号（Ｌ−Ｒ）が入力された場合にローパスフィルタ２０１から出力される信号の波形である。
【図９Ｃ】図９Ａに示す主チャンネル信号（Ｌ＋Ｒ）及び副チャンネル信号（Ｌ−Ｒ）が入力された場合にデエンファシス処理部２０３から出力される信号の波形である。
【図９Ｄ】図９Ａに示す主チャンネル信号（Ｌ＋Ｒ）及び副チャンネル信号（Ｌ−Ｒ）が入力された場合にノイズキャンセル処理部２０１’から出力される信号の波形である。
【図９Ｅ】図９Ａに示す主チャンネル信号（Ｌ＋Ｒ）及び副チャンネル信号（Ｌ−Ｒ）が入力された場合にハイパスフィルタ２１３から出力される信号の波形である。
【図９Ｆ】図９Ａに示す主チャンネル信号（Ｌ＋Ｒ）及び副チャンネル信号（Ｌ−Ｒ）が入力された場合にマルチプレクサ２１４から出力される信号の波形である。
【符号の説明】
【００３０】
１  ＦＭ受信装置
１１  フロントエンド回路
１２  ＡＧＣ回路
１３  ＩＦ段信号処理回路
１４  ＦＭ検波回路  
１７  コンポジット段信号処理回路
１８  ステレオ復調回路
１９  パルスノイズ検出部
２０  ノイズキャンセラ
２０１  ノイズキャンセル処理部
２０１１  ローパスフィルタ
２０１２  補間処理部
２０１３  置換処理部
２０２  ローパスフィルタ
２０３  デエンファシス処理部
２１  オーディオ段信号処理回路
【図１】
2008010949.tif 000003
【図２】
2008010949.tif 000004
【図３】
2008010949.tif 000005
【図７】
2008010949.tif 000006
【図８】
2008010949.tif 000007
【図４】
2008010949.tif 000008
【図５Ａ】
2008010949.tif 000009
【図５Ｂ】
2008010949.tif 000010
【図５Ｃ】
2008010949.tif 000011
【図６Ａ】
2008010949.tif 000012
【図６Ｂ】
2008010949.tif 000013
【図６Ｃ】
2008010949.tif 000014
【図６Ｄ】
2008010949.tif 000015
【図９Ａ】
2008010949.tif 000016
【図９Ｂ】
2008010949.tif 000017
【図９Ｃ】
2008010949.tif 000018
【図９Ｄ】
2008010949.tif 000019
【図９Ｅ】
2008010949.tif 000020
【図９Ｆ】
2008010949.tif 000021